(57)【特許請求の範囲】
【請求項１】
枠体１内には水を貯えるタンク２と、タンク２から水が送られる水槽３と、水槽３から水の供給を受けて加湿空気を発生する加湿空気発生手段４と、加湿空気発生手段４によって発生した加湿空気が供給される加湿室５と、加湿室５に空気を送り込む送風機６とを備えると共に、
前記送風機６で送り込まれた空気によって加湿空気を前記加湿室５の上部から枠体１外に導く加湿案内筒７と、該加湿案内筒７の上部には開口部８と、該開口部８の上面を覆うキャップ９とを設け、
前記キャップ９には前記加湿室５から送られてきた加湿空気を室内に放出する吹出口１０を設けた加湿器において、
前記吹出口１０の近傍には芳香材容器１１を配置し、該芳香材容器１１の容器開口部１２はキャップ９の上面の吹出口１０と併設し、
かつ、前記吹出口１０はキャップ９上面に複数個設け、複数個の吹出口１０の一部は芳香材容器１１の周囲に配置しており、この芳香材容器１１周囲の吹出口１０ａの吹出し方向は内側斜め上方向の前記容器開口部１２の延長上になるように開口したことを特徴とした加湿器。
【請求項２】
前記芳香材容器１１に開閉自在の容器蓋１３を設けたことを特徴とした請求項１に記載の加湿器。
【請求項３】
前記芳香材容器１１は前記キャップ９と一体に成形したことを特徴とした請求項１に記載の加湿器。
【発明の詳細な説明】
【技術分野】
【０００１】
この発明は芳香材の香りや成分を加湿空気と共に放出するように芳香装置を備えた加湿器に関するものである。
【背景技術】
【０００２】
従来の加湿器は枠体内に脱着自在なタンクと、このタンク内の水が送られる水槽があり、水槽内の水を超音波振動子によって霧化するものやヒータなどで水を加熱・沸騰させて蒸気をつくり出すもの等があり、これらの加湿空気発生手段によって発生した加湿空気は水槽上部にある加湿室に供給される。
【０００３】
また、枠体内の下部には加湿室に空気を送る送風機を備え、この送風機で送られる空気は枠体の下部に設けたられた送風経路を通り、加湿室とこの送風経路とを連絡する空気口を通過して加湿室へと送られる。
【０００４】
このように加湿空気発生手段によって発生した加湿空気は加湿室で送風機からの風によって加湿室上方の加湿案内筒に導かれて、加湿案内筒の上面開口部を塞ぐキャップに設けた吹出口より室内に放出される。
【０００５】
一方、このような構造の加湿器に芳香材容器を設け、芳香材容器は枠体内部の加湿空気経路内に配置し、送風機によって送られる加湿空気を芳香材容器に接触させることによって芳香材の気化作用を促進させ、加湿空気と共に芳香成分も室内に放出できる加湿器がある。（特許文献１参照）
【特許文献１】特開２００１−２５４９７６号公報
【発明の開示】
【発明が解決しようとする課題】
【０００６】
上記の特許文献１のように芳香材容器が加湿空気経路などの加湿器内部にあるものは、加湿空気が芳香材容器に接触して芳香材が拡散する他に、芳香材容器が加湿空気経路にあるために気流の影響を大きく受けて気化作用が強く、そのために香りや芳香成分が強すぎて不快であった。
【０００７】
また、このような構造では一度芳香材を使ってしまうと枠体内部に芳香材の匂いが残ってしまい、次に芳香材の種類を変更するときや芳香材を使用しないときには洗浄の手間がかかってしまう他に、芳香材の量の調整や種類の変更を行うのに加湿器の上位部分や加湿器内部から芳香材容器を取外す手間がかかってしまったり、また芳香材の量が目視できないために補充の時期がわかりづらいことがあった。この発明では芳香材の香りや成分を適度に室内に放出でき、かつ芳香材の管理を容易にすることができる加湿器を提供することを目的とする。
【課題を解決するための手段】
【０００８】
この発明は加湿器から放出する芳香材の香りや成分を使用者が不快に感じることなく使用でき、芳香材の管理を容易にしたもので、枠体１内には水を貯えるタンク２と、タンク２から水が送られる水槽３と、水槽３から水の供給を受けて加湿空気を発生する加湿空気発生手段４と、加湿空気発生手段４によって発生した加湿空気が供給される加湿室５と、加湿室５に空気を送り込む送風機６とを備えると共に、前記送風機６で送り込まれた空気によって加湿空気を前記加湿室５の上部から枠体１外に導く加湿案内筒７と、該加湿案内筒７の上部には開口部８と、該開口部８の上面を覆うキャップ９とを設け、前記キャップ９には前記加湿室５から送られてきた加湿空気を室内に放出する吹出口１０を設けた加湿器において、前記吹出口１０の近傍には芳香材容器１１を配置し、該芳香材容器１１の容器開口部１２はキャップ９の上面の吹出口１０と併設し、かつ、前記吹出口１０はキャップ９上面に複数個設け、複数個の吹出口１０の一部は芳香材容器１１の周囲に配置しており、この芳香材容器１１周囲の吹出口１０ａの吹出し方向は内側斜め上方向の前記容器開口部１２の延長上になるように開口したことを特徴とする。
【００１０】
また、前記芳香材容器１１に開閉自在の容器蓋１３を設けたことで芳香材１４を使用しないときは、この容器蓋１３を閉じるだけでよくなり利便性が向上した。
【００１１】
また、前記芳香材容器１１はキャップ９と一体に成形したことで、キャップ９部のみを取り外し他の芳香材のキャップ９に交換使用できるようになった。
【発明の効果】
【００１２】
この発明の加湿器は、加湿空気発生手段４で発生した加湿空気を枠体１外へ導く加湿案内筒７と、この加湿案内筒７の上部に開口部８と、開口部８の上面を覆うキャップ９と、キャップ９には発生した加湿空気を室内に放出する吹出口１０を設け、吹出口１０の近傍には芳香材１４を収める芳香材容器１１を配置し、芳香材容器１１の容器開口部１２はキャップ９の上面の吹出口１０と併設した構造としたから、送風機６で送られる加湿空気は加湿案内筒７を経て、キャップ９の吹出口１０より放出され、この際に加湿空気の一部は芳香材容器１１の底部から側面に沿って流れて芳香材容器１１内の芳香材１４の気化作用が促進されるので、適量の香りや芳香成分を漂わせ室内に供給できる。
【００１３】
また、このとき芳香材容器１１の容器開口部１２が枠体１外側にあるため芳香材１４の香りや成分が枠体１内に拡散することなく室内に放出されるので、枠体１内に匂いが残ってしまうことはない。そして芳香材容器１１はキャップ９に設けられているのでキャップ９を取外せば芳香材１４の量が確認でき、内容量の管理を容易にできるようになった。
【００１４】
また、吹出口１０はキャップ９上面に複数個設け、複数個の吹出口１０の一部は芳香材容器１１の周囲に配置しており、芳香材容器１１周囲の吹出口１０ａの方向は内側斜め上方向になるように開口したことで、吹出口１０ａから放出される加湿空気の気流によって芳香材容器１１内の適量な芳香材１４が室内に拡散され、そして拡散した芳香成分は吹出口１０ａからの加湿空気と混合して室内の広範囲に広がることになる。
【００１５】
また、キャップ９には芳香材容器１１の開閉自在の容器蓋１３が設けられており、芳香材１４を使用しないときには容器蓋１３を閉じるだけでよく、芳香の香りが強いときなどはこの容器蓋１３の開閉角度を調整することで芳香材１４の気化作用を抑えることができるなど取扱い性が向上した。
【００１６】
また、芳香材容器１１とキャップ９は一体で成形しているのでキャップ９部のみ持ち運ぶことができ、芳香材容器１１の洗浄や芳香材１４の種類の交換が容易にできるようになった。
【発明を実施するための最良の形態】
【００１７】
実施例を示す図によってこの構造を説明すると、１は加湿器の枠体、２は枠体１内の上部に配置した水を貯えるタンク、３はタンク２から水が送られる水槽であり、タンク２は枠体１の蓋１ａを取外して上部から枠体１内に装備できるようになっている。
【００１８】
１５は突起部１５ａを有する前記タンク２を受ける受け皿、１６は前記タンク２の着脱自在のタンク蓋、１７はタンク蓋１６内に取付けた開閉弁であり、水を補給した前記タンク２を受け皿１５に転倒設置すると開閉弁１７は突起部１５ａで押し開かれ、押し開かれた開閉弁１７からタンク２内の水が受け皿１５を経由して前記水槽３に送られる。
【００１９】
４は前記水槽３内の水を受けて加湿空気を発生する加湿空気発生手段、５は加湿空気発生手段４によって発生した加湿空気が供給される加湿室、７は加湿空気発生手段４によって発生した加湿空気を前記枠体１外へと導くために加湿室５の上部に設けた加湿案内筒である。
【００２０】
６は前記枠体１の下部に設けた送風機、１８は前記加湿室５の側部に設けた空気口、１９は送風機６によって送られる空気の送風経路であり、送風機６を運転すると送風経路１９で発生した風が空気口１８から前記加湿室５に送られ、前記加湿発生手段４によって発生した加湿空気は送風機６からの風によって前記加湿案内筒７を通過する。
【００２１】
８は前記加湿案内筒７の上方の開口部、９は開口部８を覆うキャップ、１０はキャップ９に設けた加湿空気が放出される吹出口であり、前記加湿案内筒７を通過した加湿空気はキャップ９の吹出口１０から室内に放出されることになる。またキャップ９は中空のドーム形状であり、前記加湿案内筒７の開口部８に設置されるとキャップ９の上部が前記枠体１から上方に突き出した形体となっており、キャップ９は前記加湿案内筒７の設置面で回転可能であり、吹出口１０を任意の方向に向けることができる。
【００２２】
最近では、上記のような構造の加湿器に芳香材容器を設け、この芳香材容器は枠体内部の加湿空気経路などに配置し、送風機によって送られる加湿空気を芳香材容器に接触させ、加湿空気の熱や気流によって芳香材の気化作用を促進させ、加湿空気と共に芳香成分も室内に放出できる加湿器がある。
【００２３】
図に示すこの発明の実施例の加湿器において、１１は前記キャップ９の吹出口１０の近傍に設けた固体もしくは液体からなる芳香材１４を収容する芳香材容器、１２は芳香材容器１１の容器開口部であり、この容器開口部１２は前記キャップ９の上面に設け、かつ吹出口１０と併設している。また、芳香材容器１１の形状は前記キャップ９の一部に凹形となるように配置されており、前記キャップ９の上面に容器開口部１２が一致している。
【００２４】
よって、加湿空気発生手段４で発生した加湿空気は、送風機６で送られ加湿案内筒７を通過して、キャップ９に設けられた吹出口１０によって一定方向に加湿空気を放出し、またキャップ９に設置された芳香材容器１１の底部から側面にかけて送られてきた加湿空気が接触し、芳香材１４の気化作用によって容器開口部１２から芳香の香りや成分が拡散される。
【００２５】
このように、芳香材容器１１の容器開口部１２がキャップ９の表面上に設けてあることで、従来のように芳香材容器１１が加湿空気経路に配置されていないことから、加湿案内筒７から送られてくる加湿空気の気流が芳香材１４に大きく影響を与えることがないため、芳香材１４の香りや成分が強過ぎることなく、適度な量の芳香材１４の気化作用が促進され拡散することになり、また気化した芳香成分は容器開口部１２からそのまま室内に放出され、芳香成分が加湿案内筒７内に拡散しないから、枠体１内部に芳香の匂いが残ってしまうことがなく、芳香材１４の種類を変更するときや芳香材１４を使用しないときなどの枠体１内部の洗浄の手間がかかることはない。
【００２６】
また、芳香材容器１１がキャップ９部に設けてあるために、芳香材１４の量の調整や交換を行うのに加湿器内部から芳香材容器１１を取出す必要がなく、芳香材１４の量は芳香材容器１１を取外さなくても加湿器に設置した状態で目視できるために補充のタイミングが確認できるなど、芳香材１４の管理が容易になった。
【００２７】
一方、図３に示す実施例において、１０ａは複数個ある前記吹出口１０のうちの前記芳香材容器１１の前記容器開口部１２の周囲に設けた吹出口であり、この吹出口１０ａは内側斜め上方に開口している。また前記容器開口部１２の上縁部１２ａはキャップ９の上面より上方に高くなっている。
【００２８】
この為、芳香材容器１１周辺の吹出口１０ａからも加湿空気が放出され、吹出した加湿空気の気流によって吹出口１０ａ近傍にある芳香材容器１１内の芳香材１４の気化作用が促進され、この吹出口１０ａから吹出す加湿空気によって芳香材１４の拡散作用は大きくなるが、気化量はほとんど増すことはない。このため、拡散する芳香材１４の成分や香りが強すぎることはなく、拡散した芳香成分は吹出口１０ａから吹出す加湿空気と混合され放出され、一部は吹出口１０から吹出す加湿空気に乗せられ室内の広範囲に放出される。
【００２９】
また、容器開口部１２の上縁部１２ａは芳香材容器１１周囲の吹出口１０ａから吹出す加湿空気が飽和状態になって液体になり吹出口１０ａの周りに水滴が付いても、その水滴が芳香材容器１１に流入するのを防ぐので芳香材１４が薄まることがない。
【００３０】
また、１３はキャップ９に設けた芳香材容器１１の容器蓋であり、この容器蓋１３は開閉角度を任意に調整することができる。
【００３１】
上記のようにキャップ９に芳香材容器１１の容器蓋１３を設けたことで、芳香材１４を使用しないときは容器蓋１３を閉めるだけでよいから手間がかからなくなり、また芳香の香りが強いときなどは容器蓋１３の開閉角度を調整することで芳香材１４の気化作用を抑え、拡散する量を減らすことができた。
【００３２】
また、芳香材容器１１とキャップ９を一体に成形すれば、枠体１からはキャップ９部のみを取外すことができ、芳香材容器１１の洗浄や芳香材１４の交換が容易にできるようになり、また、他の芳香材を入れたキャップに交換することもできる。
【００３３】
更に、実施例に示す芳香材容器１１はキャップ９の内側に設けてあるから、加湿器の外観を損なうことなく芳香材容器１１を配置でき、構造上どのような加湿器にも設置でき機能に影響を与えることはない。
【図面の簡単な説明】
【００３４】
【図１】この発明の実施例を示す加湿器の横断面図である。
【図２】この発明の実施例の芳香装置の周辺の横断面図である。
【図３】この発明の実施例の芳香材容器を備えたキャップ部の上部平面図である。
【図４】この発明の実施例の芳香材容器を備えたキャップ部の縦断面図である。
【符号の説明】
【００３５】
１      枠体
２      タンク
３      水槽
４      加湿空気発生手段
５      加湿室
６      送風機
７      加湿案内筒
８      開口部
９      キャップ
１０    吹出口
１０ａ  芳香材容器周囲の吹出口
１１    芳香材容器
１２    容器開口部
１３    容器蓋
【図１】
0004844035.tif 000002
【図２】
0004844035.tif 000003
【図３】
0004844035.tif 000004
【図４】
0004844035.tif 000005